(57)【特許請求の範囲】
【請求項１】
三相発電機を搭載した船舶の発電機用配電盤であって、
水平方向に並べて設置された複数の遮断器（１，２，３）と、
前記複数の遮断器の上方で水平方向に延びるとともに互いに鉛直方向にずれて設けられる三相の主母線（１３，１４，１５）と、
前記各遮断器の三相の端子からそれぞれ鉛直上方に延びて対応する前記主母線に接続される接続導帯（２２，２３，２４）と、
互いに隣接する一の前記遮断器（２）に対応する前記接続導帯（２２，２３，２４）と前記主母線（１３，１４，１５）との接続位置と、二の前記遮断器（３）に対応する前記接続導帯と前記主母線（１３，１４，１５）との接続位置と、の間の前記主母線（１３，１４，１５）の途中に接続される断路器（１６，１７，１８）と、
前記接続導帯（２４）と前記主母線（１５）との間に介在する中継導体（２７）と、を有し、
前記中継導体（２７）は前記配電盤を正面から見たとき水平方向であって前記接続導帯（２４）に関して前記断路器（１８）とは反対側において前記主母線（１５）と接続され、前記配電盤を正面から見たとき前記遮断器（２）の幅を上方に延長した範囲内で前記主母線（１５）と前記断路器（１８）とを接続させることを特徴とする船舶の発電機用配電盤。
【発明の詳細な説明】
【０００１】
【発明の属する技術分野】
本発明は、船舶の発電機用配電盤、特にその主母線の接続技術に関する。
【０００２】
【従来の技術】
船舶には複数の発電機が搭載されており、それぞれの発電機からの電力は発電機毎に対応して設けられた遮断器及び全ての発電器に共通の主母線を経由して負荷に供給される。図６はこのような３台の発電機Ｇ１，Ｇ２，Ｇ３を搭載した船内の配線図であって、発電機Ｇ１，Ｇ２，Ｇ３はそれぞれ遮断器１，２，３を介して主母線４に接続されている。この主母線４は断路器５によって左右に２分割可能であって、通常は断路器５を接続状態にして船内に給電し、いずれかの給電回路６又は７に故障が発生したとき断路器５を断路して健全な回路にのみ給電を継続するようになっている。
【０００３】
図７は、図６の発電機Ｇ２に対する発電機用配電盤を示す。複数の遮断器を電気的に互いに隔離しなければならないという絶縁上の理由から１台の遮断器に対して１台の配電盤が設けられており、図７に示されていないが発電機Ｇ２に対する配電盤の左右に発電機Ｇ１及びＧ３に対する配電盤がそれぞれ併設される。各発電機Ｇ１，Ｇ２，Ｇ３は三相の発電機であって、図７に示されるように、配電盤内には遮断器２と上方に配置された主母線４との間に接続導帯８が接続されている。なお、図７において主母線４及び断路器５は紙面の表から裏に向けて三相分配置されている。主母線４は互いに併設される３台の配電盤を挿通して設けられる。このような遮断器、断路器、主母線は比較的大電流容量のものであるため、大形で設置上の融通が利きにくい。
【０００４】
【発明が解決しようとする課題】
一方、船舶はスペースが限られているためできるだけ配電盤の寸法を小さくしなければならないが、配電盤１台の巾は遮断器の巾より小さくできない。たとえ、断路器５が収納されない２台の配電盤の巾を遮断器の巾よりやや大きい程度にすることはできても、図７に示されるような断路器５が収納される配電盤は、断路器５を収納する巾分だけ大きくなるという問題があった。
【０００５】
したがって、本発明は、横幅をできるだけ小さくできる船舶の発電機用配電盤を提供することにある。
【０００６】
【課題を解決するための手段】
上記の問題を解決するために、請求項１の発明は、三相発電機を搭載した船舶の発電機用配電盤であって、水平方向に並べて設置された複数の遮断器（１，２，３）と、複数の遮断器の上方で水平方向に延びるとともに互いに鉛直方向にずれて設けられる三相の主母線（１３，１４，１５）と、各遮断器の三相の端子からそれぞれ鉛直上方に延びて対応する主母線に接続される接続導帯（２２，２３，２４）と、互いに隣接する一の遮断器（２）に対応する接続導帯（２２，２３，２４）と主母線（１３，１４，１５）との接続位置と、二の遮断器（３）に対応する接続導帯と主母線（１３，１４，１５）との接続位置と、の間の主母線（１３，１４，１５）の途中に接続される断路器（１６，１７，１８）と、接続導帯（２４）と主母線（１５）との間に介在する中継導体（２７）と、を有し、中継導体（２７）は配電盤を正面から見たとき水平方向であって接続導帯（２４）に関して断路器（１８）とは反対側において主母線（１５）と接続され、配電盤を正面から見たとき遮断器（２）の幅を上方に延長した範囲内で主母線（１５）と断路器（１８）とを接続させることとしている。
【０００７】
このような構成により、中継導体が水平方向であって接続導帯に関して断路器とは反対側で主母線と接続される。
【０００８】
このような接続位置にあっては、配電盤を正面から見たとき遮断器の幅を上方に延長した範囲内で主母線と断路器とを接続させることができる。
【０００９】
この結果、配電盤を正面から見たとき遮断器の幅を上方に延長した範囲と断路器がオーバーラップした位置関係となり、配電盤の横幅を小さくできる。
【００１０】
【発明の実施の形態】
本発明の実施の形態を、図１ないし図５に示される実施例において説明する。図１に示されるように、この実施例の船舶の発電機用配電盤は、図６に示した遮断器１，２及び３が１台の配電盤１０の前面部に左右方向に一列となって収納されており、隣接する遮断器相互間は隔壁１１及び１２によって隔離されている。これら遮断器の設置間隔や遮断器と配電盤１０の側板１０ａとの間隔は小さく設定されている。図２に示されるように、遮断器の上方にはそれぞれ水平方向に延びる三相分の主母線１３，１４及び１５が鉛直方向にずれて配列されており、遮断器２と遮断器３の間の上部に断路器１６，１７及び１８が主母線１３，１４及び１５上にそれぞれ取り付けられている。断路器１６，１７及び１８はそれぞれハンドル１６ａ，１７ａ及び１８ａを操作して開閉するが主母線が鉛直方向にずれて配置されているため操作が容易である。
【００１１】
遮断器１，２及び３を代表して遮断器２について説明すると、端子１９，２０及び２１が接続導帯２２，２３及び２４を介して主母線１３，１４及び１５に接続される。さらに、中央の接続導帯２３は、図４に示される中継導体２６を介して遮断器２の中心線Ｃ上で主母線１４に接続される。また、接続導帯２２及び接続導帯２４は、図５に示される構造の中継導体２５及び２７を介して、遮断器２の中心線Ｃ上でそれぞれ主母線１３及び１５に接続される。すなわち、配電盤１０の正面または裏面から見たとき各相の接続個所が鉛直方向に一列に並ぶように接続されている。この結果、それぞれの断路器１６，１７及び１８と主母線１３，１４及び１５とは、遮断器２の右端の接続導帯２４や遮断器３の左端の接続導帯３０に邪魔されることなく接続できるため、断路器１６，１７及び１８を接続するために配電盤１０の巾を広くする必要はない。
【００１２】
以上、主母線における接続導帯との接続位置をシフトさせることにより、断路器を取り付けるために配電盤の巾を大きくする必要のないことを説明したが、必要に応じて主母線の支持位置などについても自由度が増える。
【００１３】
上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００１４】
【発明の効果】
本発明は、以上説明した形態で実施され、配電盤を正面から見たとき遮断器の幅を上方に延長した範囲と断路器がオーバーラップした位置関係となり、配電盤の横幅を小さくできるという効果を奏する。
【図面の簡単な説明】
【図１】  この発明による船舶の発電機用配電盤の実施例の要部平面図である。
【図２】  図１の配電盤の内部裏面図である。
【図３】  図２の側面図である。
【図４】  中継導体の斜視図である。
【図５】  中継導体の斜視図である。
【図６】  船舶の一般的な電気配線図である。
【図７】  従来の技術を示す裏面図である。
【符号の説明】
１，２，３  遮断器
１０  配電盤
１１，１２  隔壁
１３，１４，１５  主母線
１６，１７，１８  断路器
１９，２０，２１  端子
２２，２３，２４  接続導帯
２５，２６，２７  中継導体
【図１】
0003781978.tif 000002
【図２】
0003781978.tif 000003
【図３】
0003781978.tif 000004
【図４】
0003781978.tif 000005
【図５】
0003781978.tif 000006
【図６】
0003781978.tif 000007
【図７】
0003781978.tif 000008